【手続補正書】
【提出日】平成16年2月16日(2004.2.16)
【手続補正１】
【補正対象書類名】特許請求の範囲
【補正対象項目名】全文
【補正方法】変更
【補正の内容】
【特許請求の範囲】
【請求項１】
公衆通信回線に無線によって接続され、該公衆通信回線を経由して発信、または受信を行う無線通信手段と、
所定の情報を表示する表示手段と、
該無線通信手段に対する制御指令の出力、上記無線通信手段を経由して上記公衆通信回線からデータを受信、または上記無線通信手段を経由して上記公衆通信回線にデータを送信、または上記表示手段に対する制御指令の出力を行う制御手段と、
を備える携帯型コミュニケータであって、
上記制御手段は、上記受信の際と上記送信の際とで、上記表示手段に、上記受信の実行中を意味する情報と、上記送信の実行中を意味する情報とを切り替えて表示させる
ことを特徴とする携帯型コミュニケータ。
【請求項２】
公衆通信回線に無線によって接続され、該公衆通信回線を経由して発信、または受信を行う無線通信手段と、
所定の情報を表示する表示手段と、
該無線通信手段に対する制御指令の出力、上記無線通信手段を経由して上記公衆通信回線からデータを受信、または上記無線通信手段を経由して上記公衆通信回線にデータを送信、または上記表示手段に対する制御指令の出力を行う制御手段、
を備える携帯型コミュニケータであって、
上記制御手段は、上記受信の受信待機中には受信待機中を意味する情報を上記表示手段に表示させながら、上記送信の送信先情報設定の際にはその送信先情報を上記表示手段に同時に表示させる
ことを特徴とする携帯型コミュニケータ。
【請求項３】
公衆通信回線に無線によって接続され、該公衆通信回線を経由して発信、または受信を行う無線通信手段と、
所定の情報を表示する表示手段と、
該無線通信手段に対する制御指令の出力、上記無線通信手段を経由して上記公衆通信回線からデータを受信、または上記無線通信手段を経由して上記公衆通信回線にデータを送信、または上記表示手段に対する制御指令の出力を行う制御手段と、
を備える携帯型コミュニケータであって、
上記制御手段は、上記受信の受信待機中には受信待機中を意味する情報を上記表示手段に表示させながら、上記送信の送信データ設定の際にはその送信データを上記表示手段に同時に表示させる
ことを特徴とする携帯型コミュニケータ。
【請求項４】
公衆通信回線に無線によって接続され、該公衆通信回線を経由して発信、または受信を行う無線通信手段と、
所定の情報を表示する表示手段と、
該無線通信手段に対する制御指令の出力、上記無線通信手段を経由して上記公衆通信回線からデータを受信、または上記無線通信手段を経由して上記公衆通信回線にデータを送信、または上記表示手段に対する制御指令の出力を行う制御手段と、
を備える携帯型コミュニケータであって、
上記制御手段は、上記受信の受信待機中には受信待機中を意味する情報を上記表示手段に表示させながら、上記受信の受信データ表示の際にはその受信データを上記表示手段に同時に表示させる
ことを特徴とする携帯型コミュニケータ。
【手続補正２】
【補正対象書類名】明細書
【補正対象項目名】０００７
【補正方法】変更
【補正の内容】
【０００７】
本発明の携帯型コミュニケータは、公衆通信回線に無線によって接続され、該公衆通信回線を経由して発信、または受信を行う無線通信手段と、所定の情報を表示する表示手段と、該無線通信手段に対する制御指令の出力、上記無線通信手段を経由して上記公衆通信回線からデータを受信、または上記無線通信手段を経由して上記公衆通信回線にデータを送信、または上記表示手段に対する制御指令の出力を行う制御手段と、を備える携帯型コミュニケータであって、上記制御手段は、上記受信の際と上記送信の際とで、上記表示手段に、上記受信の実行中を意味する情報と、上記送信の実行中を意味する情報とを切り替えて表示させることを要旨とする。
また、本発明の携帯型コミュニケータは、公衆通信回線に無線によって接続され、該公衆通信回線を経由して発信、または受信を行う無線通信手段と、所定の情報を表示する表示手段と、該無線通信手段に対する制御指令の出力、上記無線通信手段を経由して上記公衆通信回線からデータを受信、または上記無線通信手段を経由して上記公衆通信回線にデータを送信、または上記表示手段に対する制御指令の出力を行う制御手段、を備える携帯型コミュニケータであって、上記制御手段は、上記受信の受信待機中には受信待機中を意味する情報を上記表示手段に表示させながら、上記送信の送信先情報設定の際にはその送信先情報を上記表示手段に同時に表示させることを要旨とする。
また、本発明の携帯型コミュニケータは、公衆通信回線に無線によって接続され、該公衆通信回線を経由して発信、または受信を行う無線通信手段と、所定の情報を表示する表示手段と、該無線通信手段に対する制御指令の出力、上記無線通信手段を経由して上記公衆通信回線からデータを受信、または上記無線通信手段を経由して上記公衆通信回線にデータを送信、または上記表示手段に対する制御指令の出力を行う制御手段と、を備える携帯型コミュニケータであって、上記制御手段は、上記受信の受信待機中には受信待機中を意味する情報を上記表示手段に表示させながら、上記送信の送信データ設定の際にはその送信データを上記表示手段に同時に表示させることを要旨とする。
また、本発明の携帯型コミュニケータは、公衆通信回線に無線によって接続され、該公衆通信回線を経由して発信、または受信を行う無線通信手段と、所定の情報を表示する表示手段と、該無線通信手段に対する制御指令の出力、上記無線通信手段を経由して上記公衆通信回線からデータを受信、または上記無線通信手段を経由して上記公衆通信回線にデータを送信、または上記表示手段に対する制御指令の出力を行う制御手段と、を備える携帯型コミュニケータであって、上記制御手段は、上記受信の受信待機中には受信待機中を意味する情報を上記表示手段に表示させながら、上記受信の受信データ表示の際にはその受信データを上記表示手段に同時に表示させることを要旨とする。
【手続補正３】
【補正対象書類名】明細書
【補正対象項目名】０００９
【補正方法】変更
【補正の内容】
【０００９】
本発明の携帯型コミュニケータによれば、現在、無線通信手段を介してデータの受信中であるか送信中であるかが一瞥して利用者は認識することができる。このため利用者の安心感が高まる。
また、本発明の携帯型コミュニケータによれば、例えば利用者が送信先情報を設定しようとして送信先情報を表示させている際であっても、確かに受信待機中であることを利用者が認識できるため、例えば「当該操作を行っている際には受信待機中ではないのではないか」という不安を払拭することができ、利用者の安心感が高まる。
また、本発明の携帯型コミュニケータによれば、例えば利用者が送信先データを設定しようとして送信先データを表示させている際であっても、確かに受信待機中であることを利用者が認識できるため、例えば「当該操作を行っている際には受信待機中ではないのではないか」という不安を払拭することができ、利用者の安心感が高まる。
また、本発明の携帯型コミュニケータによれば、例えば利用者が受信データを閲覧しようとして受信データを表示させている際であっても、確かに受信待機中であることを利用者が認識できるため、例えば「当該操作を行っている際には受信待機中ではないのではないか」という不安を払拭することができ、利用者の安心感が高まる。